(57)【要約】【課題】  光学濃度（ＯＤ値）を低下させることなく、白スジ状のムラ（バンディング）を抑制可能な顔料を用いたインクジェット記録用水性インクを提供する。【解決手段】  本発明のインクジェット記録用水性インクは、自己分散型顔料及び水を含むインクジェット記録用水性インクであって、さらに、前記水性インクが、ジ−２−エチルヘキシルスルホコハク酸又はその塩（化合物Ａ）と、一般式（Ｂ１）で表される化合物、化学式（Ｂ２）で表される化合物及び一般式（Ｂ３）で表される化合物からなる群から選択される少なくとも一つの化合物Ｂとを含むことを特徴とする。【化１】2014189708.tif 000013一般式（Ｂ１）において、ｃは、１又は２である。【化２】2014189708.tif 000014【化３】2014189708.tif 000015一般式（Ｂ３）において、ｄは、１〜３の整数である。【選択図】  なし【特許請求の範囲】
【請求項１】
自己分散型顔料及び水を含むインクジェット記録用水性インクであって、
さらに、前記水性インクが、
ジ−２−エチルヘキシルスルホコハク酸又はその塩（化合物Ａ）と、
一般式（Ｂ１）で表される化合物、化学式（Ｂ２）で表される化合物及び一般式（Ｂ３）で表される化合物からなる群から選択される少なくとも一つの化合物Ｂとを含むことを特徴とするインクジェット記録用水性インク。
【化１】
2014189708.tif 000010
一般式（Ｂ１）において、ｃは、１又は２である。
【化２】
2014189708.tif 000011
【化３】
2014189708.tif 000012
一般式（Ｂ３）において、ｄは、１〜３の整数である。
【請求項２】
前記自己分散型顔料が、カルボン酸基により修飾された自己分散型顔料であることを特徴とする請求項１記載のインクジェット記録用水性インク。
【請求項３】
インクジェット記録用水性インクを含むインクカートリッジであって、前記水性インクが、請求項１又は２記載のインクジェット記録用水性インクであることを特徴とするインクカートリッジ。
【請求項４】
インク収容部及びインク吐出手段を含み、前記インク収容部に収容されたインクを前記インク吐出手段によって吐出するインクジェット記録装置であって、
前記インク収容部に、請求項１又は２記載のインクジェット記録用水性インクが収容されていることを特徴とするインクジェット記録装置。
【発明の詳細な説明】
【技術分野】
【０００１】
本発明は、インクジェット記録用水性インク、インクカートリッジ及びインクジェット記録装置に関する。
【背景技術】
【０００２】
顔料を用いたインクジェット記録用水性インク（以下、「水性顔料インク」と言うことがある。）における白スジ状のムラ（バンディング）を抑制するために、界面活性剤を用いることが提案されている（特許文献１参照）。
【先行技術文献】
【特許文献】
【０００３】
【特許文献１】特開２０１２−２４６４３５号公報
【発明の概要】
【発明が解決しようとする課題】
【０００４】
近年、記録速度の高速化に伴い、記録媒体における速乾性を得るために、少ない液滴でインクジェット記録を実行することを求められることがある。しかしながら、界面活性剤を用いるだけでは、特に、低解像度でインクジェット記録を行う場合に、白スジ状のムラ（バンディング）の抑制が不充分となり、また、光学濃度（ＯＤ値）を低下させる懸念があった。
【０００５】
そこで、本発明は、光学濃度（ＯＤ値）を低下させることなく、白スジ状のムラ（バンディング）を抑制可能な顔料を用いたインクジェット記録用水性インクを提供することを目的とする。
【課題を解決するための手段】
【０００６】
前記目的を達成するために、本発明のインクジェット記録用水性インクは、
自己分散型顔料及び水を含むインクジェット記録用水性インクであって、
さらに、前記水性インクが、
ジ−２−エチルヘキシルスルホコハク酸又はその塩（化合物Ａ）と、
一般式（Ｂ１）で表される化合物、化学式（Ｂ２）で表される化合物及び一般式（Ｂ３）で表される化合物からなる群から選択される少なくとも一つの化合物Ｂとを含むことを特徴とする。
【化１】
2014189708.tif 000002
一般式（Ｂ１）において、ｃは、１又は２である。
【化２】
2014189708.tif 000003
【化３】
2014189708.tif 000004
一般式（Ｂ３）において、ｄは、１〜３の整数である。
【発明の効果】
【０００７】
本発明によれば、水性顔料インクにおいて、前記化合物Ａ及び前記化合物Ｂを併用することで、光学濃度（ＯＤ値）を低下させることなく、白スジ状のムラ（バンディング）を抑制可能なインクジェット記録用水性インクを得ることができる。
【図面の簡単な説明】
【０００８】
【図１】図１は、本発明のインクジェット記録装置の構成の一例を示す概略斜視図である。
【発明を実施するための形態】
【０００９】
本発明において、高速記録に対応可能な速乾性をえうる水性インクの吐出量としては、例えば、６００ｄｐｉ×３００ｄｐｉにおいては２８ｐＬ〜３２ｐＬがあげられる。ただし、前記吐出量は、解像度、水性インクの組成等により様々であり、前述の例に限定及び制限されない。
【００１０】
本発明の水性インクについて説明する。本発明の水性インクは、自己分散型顔料及び水を含む。
【００１１】
本発明において、前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、カルボン酸基により修飾された自己分散型顔料（以下、「カルボン酸基修飾自己分散型顔料」という。）であることが好ましい。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−１」、「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１２】
前記水性インク全量に対する前記自己分散型顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１５重量％であり、より好ましくは、２重量％〜１０重量％である。
【００１３】
前記水性インクは、前記自己分散型顔料以外の着色剤を含んでもよい。前記自己分散型顔料以外の着色剤としては、例えば、前記自己分散型顔料以外の顔料、染料等があげられる。
【００１４】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１５】
前述のとおり、前記水性インクは、さらに、前記化合物Ａ及び前記化合物Ｂを含む。水性顔料インクにおいて、前記化合物Ａ及び前記化合物Ｂを併用することで、光学濃度（ＯＤ値）を低下させることなく、白スジ状のムラ（バンディング）を抑制可能なインクジェット記録用水性インクを得ることができる。
【００１６】
前記化合物Ａは、例えば、市販品を用いてもよい。前記市販品としては、例えば、ライオン（株）製の「リパール（登録商標）８３５Ｉ」、「リパール（登録商標）８６０Ｋ」、「リパール（登録商標）８７０Ｐ」等があげられる。前記化合物Ａを添加した水性顔料インクは、従来の界面活性剤を添加した水性顔料インクよりも光学濃度（ＯＤ値）に優れる。前記化合物Ａにおける塩は、特に限定されず、例えば、ナトリウム塩等があげられる。前記化合物Ａは、前記水性インク中において、塩における対イオンが電離したイオンの状態であってもよい。前記化合物Ａは、１種類を単独で用いても、２種類以上を併用してもよい。
【００１７】
前記水性インク全量に対する前記化合物Ａの配合量（化合物Ａ割合）は、例えば、０．０１重量％〜５重量％であり、好ましくは、０．０５重量％〜２重量％であり、より好ましくは、０．１重量％〜０．８重量％である。前記化合物Ａ割合は、塩を含まない場合の酸（又は、対イオンが電離したイオン）単独の配合量、酸（又は、対イオンが電離したイオン）を含まない場合の塩単独の配合量、並びに酸（又は、対イオンが電離したイオン）及び塩の双方を含む場合の酸（又は、対イオンが電離したイオン）及び塩の合計配合量を含む。
【００１８】
前記化合物Ｂにおいて、一般式（Ｂ１）で表される化合物としては、例えば、ジエチレングリコール−ｎ−ヘキシルエーテル、エチレングリコール−ｎ−ヘキシルエーテル等があげられ、化学式（Ｂ２）で表される化合物としては、例えば、ジエチレングリコール−２−エチルヘキシルエーテル等があげられ、一般式（Ｂ３）で表される化合物としては、例えば、トリプロピレングリコール−ｎ−ブチルエーテル、ジプロピレングリコール−ｎ−ブチルエーテル、プロピレングリコール−ｎ−ブチルエーテル等があげられる。水性顔料インクにおいて、前記化合物Ａ及び前記化合物Ｂを併用することで、白スジ状のムラ（バンディング）を抑制可能である。
【００１９】
前記水性インク全量に対する前記化合物Ｂの配合量は、例えば、０．０１重量％〜１０重量％であり、好ましくは、０．１重量％〜５重量％であり、より好ましくは、０．２重量％〜０．６重量％である。
【００２０】
前記水性インク全量に対する前記化合物Ａ及び前記化合物Ｂの合計配合量の下限は、記録媒体上のインクのベタ埋めの観点から、０．０２重量％以上が好ましい。また、前記合計配合量の上限は、化合物Ａ及び化合物Ｂの相溶性の観点から、１５重量％以下が好ましい。前記合計配合量は、より好ましくは、０．２重量％〜０．６重量％であり、さらに好ましくは、０．３重量％〜１．４重量％である。
【００２１】
前記水性インクは、さらに、湿潤剤を含んでもよい。前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２２】
前記水性インク全量に対する前記湿潤剤の配合量は、例えば、０重量％〜９５重量％であり、好ましくは、５重量％〜８０重量％であり、より好ましくは、５重量％〜５０重量％である。
【００２３】
本発明の水性インクは、本発明の効果を奏する範囲内において、前記化合物Ａ以外の界面活性剤及び前記化合物Ｂ以外の浸透剤を含んでもよい。
【００２４】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００２５】
前記水性インクは、例えば、顔料、水、前記化合物Ａ及び前記化合物Ｂと、必要に応じて他の添加成分とを、従来公知の方法で均一に混合し、フィルタ等で不溶解物を除去することにより調製できる。
【００２６】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００２７】
つぎに、本発明のインクジェット記録装置及びインクジェット記録方法について説明する。
【００２８】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００２９】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００３０】
本発明のインクジェット記録方法は、例えば、本発明のインクジェット記録装置を用いて実施可能である。前記記録は、印字、印画、印刷等を含む。
【００３１】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３２】
４つのインクカートリッジ２は、イエロー、マゼンタ、シアン及びブラックの４色の水性インクを、それぞれ１色ずつ含む。例えば、前記水性ブラックインクが、本発明のインクジェット記録用水性インクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３３】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３４】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３５】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３６】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。記録後の記録用紙Ｐは、インクジェット記録装置１から排紙される。本発明の水性インクで記録された記録物は、光学濃度（ＯＤ値）に優れ、白スジ状のムラ（バンディング）が抑制される。図１においては、記録用紙Ｐの給紙機構及び排紙機構の図示を省略している。
【００３７】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００３８】
つぎに、本発明の実施例について比較例と併せて説明する。なお、本発明は、下記の実施例及び比較例により限定及び制限されない。
【００３９】
［実施例１−１〜３−２及び比較例１−１〜２−１６］
水性インク組成（表１〜５）における、自己分散型顔料を除く成分を、均一に混合しインク溶媒を得た。つぎに、水に分散させた自己分散型顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１−１〜３−２及び比較例１−１〜２−１６のインクジェット記録用水性インクを得た。なお、比較例１−４〜１−６と比較例２−４〜２−６、比較例１−１１〜１−１２と比較例２−９〜２−１０、比較例１−１４〜１−１６と比較例２−１２〜２−１４、比較例１−１７と比較例２−１６は、それぞれ同じ水性インクであるが、化合物Ｂとして一般式（Ｂ１）で表される化合物又は化学式（Ｂ２）で表される化合物を用いた実施例１−１〜１−１４、及び化合物Ｂとして一般式（Ｂ３）で表される化合物を用いた実施例２−１〜２−１４に共通する比較例であるため、表２及び表４の両方の表に記載している。
【００４０】
実施例及び比較例の水性インクについて、（ａ）白スジ状のムラ（バンディング）評価及び（ｂ）光学濃度（ＯＤ値）測定を、下記方法により実施した。
【００４１】
（ａ）白スジ状のムラ（バンディング）評価
ブラザー工業（株）製のインクジェットプリンタ搭載デジタル複合機ＤＣＰ−Ｊ５２５Ｎを用いて、普通紙（Ｘｅｒｏｘ社製の４２００）上に、解像度６００ｄｐｉ×３００ｄｐｉ、インク液滴量３０ｐＬ、１００％ｄｕｔｙ（ベタ画像）の条件で、実施例及び比較例の水性インクの吐出により、３ｉｎｃｈ×３ｉｎｃｈ（７．６２ｃｍ×７．６２ｃｍ）の評価パッチを記録した。このようにして作製した評価パッチを目視にて観察し、下記評価基準に従って白スジ状のムラ（バンディング）を評価した。
【００４２】
白スジ状のムラ（バンディング）評価  評価基準
Ｇ  ：評価パッチに白スジ状のムラ（バンディング）が確認されなかった
ＮＧ：評価パッチに白スジ状のムラ（バンディング）が確認された
【００４３】
（ｂ）光学濃度（ＯＤ値）測定
前記「（ａ）白スジ状のムラ（バンディング）評価」と同様にして作製した評価パッチ中の５箇所の光学濃度（ＯＤ値）を、Ｘ−Ｒｉｔｅ社製の分光測色計ＳｐｅｃｔｒｏＥｙｅ（光源：Ｄ５０、視野：２°、濃度基準：ＡＮＳＩ  Ｔ）により測定し、平均値を求めた。
【００４４】
実施例及び比較例の水性インクの水性インク組成及び評価・測定結果を、表１〜５に示す。なお、前述のとおり、比較例１−４〜１−６と比較例２−４〜２−６、比較例１−１１〜１−１２と比較例２−９〜２−１０、比較例１−１４〜１−１６と比較例２−１２〜２−１４、比較例１−１７と比較例２−１６は、それぞれ同じ水性インクであり、評価・測定結果も同じであるが、化合物Ｂとして一般式（Ｂ１）で表される化合物又は化学式（Ｂ２）で表される化合物を用いた実施例１−１〜１−１４、及び化合物Ｂとして一般式（Ｂ３）で表される化合物を用いた実施例２−１〜２−１４に共通する比較例であるため、表２及び表４の両方の表に記載している。
【００４５】
【表１】
2014189708.tif 000005
【００４６】
【表２】
2014189708.tif 000006
【００４７】
【表３】
2014189708.tif 000007
【００４８】
【表４】
2014189708.tif 000008
【００４９】
【表５】
2014189708.tif 000009
【００５０】
表１に示すとおり、化合物Ｂとして一般式（Ｂ１）で表される化合物又は化学式（Ｂ２）で表される化合物を用いた実施例１−１〜１−１４では、白スジ状のムラ（バンディング）評価の結果が良好で、光学濃度（ＯＤ値）が１．０６以上と高かった。一方、表２に示すとおり、化合物Ａに代えて、化合物Ａに類似する界面活性剤を用いた比較例１−１〜１−３、化合物Ａを用いなかった比較例１−１３、化合物Ａ及び化合物Ｂを用いなかった比較例１−１４、化合物Ａに代えて、化合物Ａに類似する界面活性剤を用い、化合物Ｂを用いなかった比較例１−１５、化合物Ａを用いず、化合物Ｂに代えて、化合物Ｂに類似のグリコールエーテルを用いた比較例１−１６、並びに化合物Ａ及び化合物Ｂに代えて、化合物Ａに類似する界面活性剤及び化合物Ｂに類似のグリコールエーテルを用いた比較例１−１７では、白スジ状のムラ（バンディング）評価の結果が悪く、光学濃度（ＯＤ値）も１．０１〜１．０５と低かった。また、化合物Ｂに代えて、化合物Ｂに類似のグリコールエーテルを用いた比較例１−４〜１−１１、及び化合物Ｂを用いなかった比較例１−１２では、白スジ状のムラ（バンディング）評価の結果が悪かった。
【００５１】
また、表３に示すとおり、化合物Ｂとして一般式（Ｂ３）で表される化合物を用いた実施例２−１〜２−１４では、白スジ状のムラ（バンディング）評価の結果が良好で、光学濃度（ＯＤ値）が１．０６以上と高かった。一方、表４に示すとおり、化合物Ａに代えて、化合物Ａに類似する界面活性剤を用いた比較例２−１〜２−３、化合物Ａを用いなかった比較例２−１１、化合物Ａ及び化合物Ｂを用いなかった比較例２−１２、化合物Ａに代えて、化合物Ａに類似する界面活性剤を用い、化合物Ｂを用いなかった比較例２−１３、化合物Ａを用いず、化合物Ｂに代えて、化合物Ｂに類似のグリコールエーテルを用いた比較例２−１４及び２−１５、並びに化合物Ａ及び化合物Ｂに代えて、化合物Ａに類似する界面活性剤及び化合物Ｂに類似のグリコールエーテルを用いた比較例２−１６では、白スジ状のムラ（バンディング）評価の結果が悪く、光学濃度（ＯＤ値）も１．０１〜１．０５と低かった。また、化合物Ｂに代えて、化合物Ｂに類似のグリコールエーテルを用いた比較例２−４〜２−９、及び化合物Ｂを用いなかった比較例２−１０では、白スジ状のムラ（バンディング）評価の結果が悪かった。
【００５２】
さらに、表５に示すとおり、化合物Ｂとして、一般式（Ｂ１）で表される化合物又は化学式（Ｂ２）で表される化合物と、一般式（Ｂ３）で表される化合物とを併用した実施例３−１及び３−２では、白スジ状のムラ（バンディング）評価の結果が良好で、光学濃度（ＯＤ値）が１．１０以上と高かった。
【産業上の利用可能性】
【００５３】
以上のように、本発明の水性インクは、光学濃度（ＯＤ値）が高く、白スジ状のムラ（バンディング）が抑制されたものである。本発明の水性インクの用途は、特に限定されず、各種のインクジェット記録に広く適用可能である。
【符号の説明】
【００５４】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2014189708.tif 000016